(57)【要約】【課題】複数の高温電解（ＳＯＥＣ）又は共電解反応器を含むパワーツーガスユニットの始動モード又は待機モード運転の方法を提供する。【解決手段】本発明は、固体酸化物（ＳＯＥＣ）の基本電解セルのスタックを有するＮ個の反応器（１）を含むパワーツーガスユニットと呼ばれるユニットの、始動モード又は待機モードでの運転方法であって、そのカソードは、メタン化反応触媒材料から作られる、方法に関する。【選択図】図３
2019112717.tif 000002
【特許請求の範囲】
【請求項１】
固体酸化物（ＳＯＥＣ）型の基本電解セルのスタックを有するＮ個の反応器を含むパワーツーガスユニットと呼ばれるユニットの、始動モード又は待機モードでの運転方法であって、そのカソードは、メタン化反応触媒材料から作られ、
Ｎ個の反応器又はその一部の温度上昇を実施することが望ましい場合、又は利用可能な電力レベルがＮ個の反応器全ての中で高温電解（ＨＴＥ）又はＨ２Ｏ及びＣＯ２の共電解を実施するのに不十分である場合、以下のステップ：
ａ）Ｐ個の反応器に電力が供給され、必要ならば熱が供給され、また、水蒸気Ｈ２Ｏ、又は水蒸気と二酸化炭素ＣＯ２との混合物の何れかがＰ個の反応器のカソードに供給及び分配されて、Ｐ個の反応器の各カソードにおいて、水蒸気Ｈ２Ｏの高温電解、又は水蒸気及び二酸化炭素の高温共電解の何れかが行われる；
ｂ）電解から得られるガス（水素Ｈ２、水蒸気Ｈ２Ｏ）又は共電解から得られるガス（Ｈ２、水蒸気、一酸化炭素ＣＯ、二酸化炭素ＣＯ２、メタンＣＨ４）の少なくとも一部が回収され、電力が供給されていないＸ個の反応器の各カソードに供給及び分配され、数ＸはＮ−Ｐ以下であり、Ｘ個の反応器の各カソードで不均一触媒作用によるメタン化が行われる；
を含む、方法。
【請求項２】
前記二酸化炭素は、特にエネルギー生産拠点（廃熱用の原子力発電所、ＣＯ２排出及び／又は廃熱用のバイオマスメタン化又はガス化発電所）、工業生産拠点（セメント工場、ＣＯ２排出及び／又は廃熱用の鉄鋼業）、病院などのサービス産業の建物、閉鎖区域の輸送ネットワーク、あるいは廃熱処理ユニットなどの排出拠点から選択される生産拠点から、生産源によって放出される、請求項１に記載の運転方法。
【請求項３】
始動モード又は待機モードにおいて、反応器（ＳＯＥＣ）を含む前記ユニットの熱要件は、生産拠点の生産源の廃熱によって供給される、請求項１に記載の運転方法。
【請求項４】
前記生産拠点は、エネルギー生産拠点（廃熱用の原子力発電所、ＣＯ２排出及び／又は廃熱用のバイオマスメタン化又はガス化発電所）、工業生産拠点（セメント工場、ＣＯ２排出及び／又は廃熱用の鉄鋼業）、病院などのサービス産業の建物、閉鎖区域の輸送ネットワーク、あるいは排出拠点から選択される、請求項３に記載の運転方法。
【請求項５】
ステップｂ）によって生成される前記ＳＯＥＣ反応器中でのメタン化によって生成されたガスが、前記パワーツーガスユニットのＮ個の専用メタン化反応器に導入される、ステップｃ）を含む、請求項１に記載の運転方法。
【請求項６】
ステップａ）は、６００〜１０００℃の間の温度で行われる、請求項１に記載の運転方法。
【請求項７】
ステップｂ）は、４００℃〜８００℃の間の温度で、かつステップａ）の温度に対して少なくとも１００℃劣る温度で行われる、請求項１に記載の運転方法。
【請求項８】
ステップａ）及びｂ）は、０〜１００ｂａｒの間、好ましくは４〜８０ｂａｒの間の圧力で行われる、請求項１に記載の運転方法。
【請求項９】
前記Ｎ個の反応器は全て、それぞれがカソードと、アノードと、前記カソードと前記アノードとの間に挿入された電解質とから形成されたＳＯＥＣ型の基本電解セルのスタックと、それぞれが２つの隣接する基本セルの間に配置され、一面が２つの基本セルのうちの一方のアノードと電気的に接触し他面が２つの基本セルのうちの他方のカソードと電気的に接触している複数の電気的及び流体的相互接続体とを有する反応器である、請求項１に記載の運転方法。
【請求項１０】
ステップａ）は、水蒸気Ｈ２Ｏ、又は水蒸気と二酸化炭素ＣＯ２との混合物の何れかをＰ個の反応器の各カソードに供給及び分配すること、又はＰ個の反応器の２つの隣接する基本セルのうちの一方の各カソードに水蒸気を供給及び分配し、Ｐ個の反応器の２つの隣接する基本セルのうちの他方のカソードに二酸化炭素を供給及び分配することによって行われ、Ｐ個の反応器の各カソードにおいて、水蒸気Ｈ２Ｏの高温電解、又は水蒸気及び二酸化炭素の高温共電解の何れかが行われる、請求項９に記載の運転方法。
【請求項１１】
請求項１に記載のパワーツーガスユニットの待機モードでの運転方法を実行する、「断続的な」エネルギー源からメタンＣＨ４を生成する方法であって、ステップｂ）は、前記断続的な源がＮ個の反応器全てに十分なレベルの電力を生産することがもはやできない場合に行われる、方法。
【発明の詳細な説明】
【技術分野】
【０００１】
本発明は、「パワーツーガス（ｐｏｗｅｒ  ｔｏ  ｇａｓ）」変換としてより良く知られている、電力（ｅｌｅｃｔｒｉｃｉｔｙ）からガスへの変換の分野に関する。
【０００２】
パワーツーガス変換は、再生可能エネルギーの余剰生産の貯蔵に基づき、それらを合成メタン又は水素に変換することによる。既存の天然ガスネットワークは、このようにして生成された水素又はメタンを受け取り、それらを貯蔵し、それらを輸送し、そして天然ガスと混合することによってそれらを利用することを可能にし得る。
【０００３】
本発明は、ガスがメタンの形態であるパワーツーガスユニットに関し、それは、ＳＯＥＣ型（「固体酸化物電解セル（Ｓｏｌｉｄ  Ｏｘｉｄｅ  Ｅｌｅｃｔｒｏｌｙｚｅｒ  Ｃｅｌｌ）」の頭字語）の複数の電解セルスタック反応器内で電力とともに供給される水の高温電解（「高温電解（Ｈｉｇｈ−Ｔｅｍｐｅｒａｔｕｒｅ  Ｅｌｅｃｔｒｏｌｙｓｉｓ）」の場合はＨＴＥ、あるいは「高温水蒸気電解（Ｈｉｇｈ−Ｔｅｍｐｅｒａｔｕｒｅ  Ｓｔｅａｍ  Ｅｌｅｃｔｒｏｌｙｓｉｓ）」の場合はＨＴＳＥ）のステップ、又は水及び二酸化炭素ＣＯ２の高温共電解として知られるステップを実行する。
【０００４】
本発明は、より具体的には、始動中又は待機モードにより利用可能な電力が低レベルである場合の、ユニットの電解又は共電解反応器を用いたメタンの生成に関する。
【背景技術】
【０００５】
既に想定されている大量エネルギー貯蔵解決策の中で、油圧貯蔵（ｈｙｄｒａｕｌｉｃ  ｓｔｏｒａｇｅ）は既に非常に普及している。このタイプの貯蔵リスクの残りの容量は急速に飽和している。加えて、油圧システムは特定の地理的及び地質学的条件を必要とし、その結果、かなり高価であり限られた拡張可能性を有すると判明する可能性がある。将来の貯蔵問題に対して、油圧貯蔵は故に、部分的な解決策に過ぎない可能性がある。
【０００６】
代替の貯蔵解決策もまた想定されてきた：これは、圧縮空気貯蔵（ＣＡＥＳは「圧縮空気エネルギー貯蔵（Ｃｏｍｐｒｅｓｓｅｄ  Ａｉｒ  Ｅｎｅｒｇｙ  Ｓｔｏｒａｇｅ）」の頭字語）である。この技術によれば、電力とともに生成された圧縮空気を地下空洞に貯蔵することが想定されている。これらの空洞自体もまた、塩水空洞などの特定の地質学的特徴を必要とする。しかしながら、この貯蔵解決策の収率は、満足できるものではない。
【０００７】
最後に、特定の構成で電力を大量に貯蔵できる可能性があるエネルギーベクトルとして、水素が発表されている：ここでは、出願人が参加している、頭字語ＭＹＲＴＥ（電気ネットワークに統合するための再生可能な水素に関するミッション（Ｍｉｓｓｉｏｎ  ｒｅｌａｔｉｎｇ  ｔｏ  ｒｅｎｅｗａｂｌｅ  ｈｙｄｒｏｇｅｎ  ｆｏｒ  ｉｎｔｅｇｒａｔｉｏｎ  ｉｎ  ｔｈｅ  ｅｌｅｃｔｒｉｃａｌ  ｎｅｔｗｏｒｋ））の名前でコルシカ島において既に行われたプロジェクトについて言及することができる。
【０００８】
しかしながら、これらの全ての大量エネルギー貯蔵解決策は、大規模なインフラストラクチャ（油圧、地下空洞、水素貯蔵システムに適した場所）の開発を必要とする。これが、最近になって、合成燃料ガスの生成を介して再生可能電力を化学エネルギーに変換することによる、既存のインフラストラクチャに貯蔵することができる大量エネルギー貯蔵がかなりの浸透をもたらし、多大な可能性を有する貯蔵代替物を代表している理由である。ここでは、技術的変換解決策について言及している特許文献１について言及することができる。
【０００９】
さらに、化石エネルギーの使用に起因する二酸化炭素ＣＯ２の排出量を削減し、これらのエネルギーの使用に由来するＣＯ２を無期限に貯蔵するのではなく可能な限り利用し、「脱炭素」エネルギー源由来のオンデマンド電力を使用し、特に余剰生産の間は、この電力を貯蔵可能な生成物に変換し、必要に応じて高炭素エネルギーの使用に頼らずに生産不足期間中にオンデマンドで電力を生産できるようにすることが、地球規模の環境効率のために達成されるべき全ての目的である。
【００１０】
「脱炭素化された」電力を用いた水蒸気及び二酸化炭素ＣＯ２からの可燃性合成ガスの生成は、これらの目的を満たす。
【００１１】
従って、幾つかの研究は、電力を現在のガスインフラストラクチャ、特に天然ガス輸送及び分配ネットワークを用いて貯蔵及び利用することができる合成ガスへのこの余剰の変換によって、パワーツーガス解決策を潜在能力の高い解決策として特定している。既存のインフラストラクチャをこのように使用することで、貯蔵に特別な投資を必要とせずに再生可能資源からのエネルギーを貯蔵するための大容量を有することが可能になり（非特許文献１参照）、このことは、上述のポンピング又はＣＡＥＳステーションなどの他の電力貯蔵解決策には当てはまらない。
【００１２】
この理由により、再生可能エネルギーの浸透が中期的あるいは長期的（季節的）な電力貯蔵を有用なものとする限り、パワーツーガス解決策はエネルギー変換及び貯蔵解決策として好ましいと考えられている（非特許文献２及び非特許文献３）。
【００１３】
パワーツーガスユニット内での合成メタンの生成は、天然ガスインフラストラクチャの利用に特に適している（非特許文献１）。このメタンは、典型的には、水の電解（水素生成）、そして専用反応器内での水素と外部源からのＣＯ２との間のメタン化反応の実施によって、電力の利用可能性に基づいて生成される。
【００１４】
固体酸化物電解槽内における高温での水素Ｈ２を生成するための水蒸気Ｈ２Ｏの電解、及び／又はＨ２Ｏ＋ＣＯ２の共電解は、メタン化に有用な試薬を生成するための可能性の１つである。水蒸気電解（Ｉ）及びＨ２Ｏ＋ＣＯ２の共電解（ＩＩ）のための反応は、以下の式に従って行われる：
水の電解：Ｈ２Ｏ→Ｈ２＋１／２Ｏ２      （Ｉ）
共電解：ＣＯ２＋Ｈ２Ｏ→ＣＯ＋Ｈ２＋Ｏ２      （ＩＩ）
【００１５】
固体酸化物セル（ＳＯＥＣ）反応器中での高温電解は、メタン化反応器により放出された熱をプロセス内で利用し得るため、アルカリ又はＰＥＭ（「プロトン交換膜（Ｐｒｏｔｏｎ  Ｅｘｃｈａｎｇｅ  Ｍｅｍｂｒａｎｅ）」の頭字語）電解などの低温技術と比較して特に高い電力収率を達成することを可能にする。
【００１６】
合成メタンを生成するためにメタン化反応器内に次いで注入される合成ガス（Ｈ２、ＣＯ及びＣＯ２の混合物）を生成するための水蒸気及びＣＯ２のＳＯＥＣ共電解は、同じ利点を有する。
【００１７】
さらに、水素の輸送、貯蔵、及びガスネットワークへの可能な注入を含む使用は、それを加圧することを必要とする。高価である生成された水素を圧縮する代わりに、加圧水蒸気を用いて直接水の電解を行うことは既に知られている慣例であり、従って水は予め液体状態で圧縮され、そのことは、はるかに安価である。
【００１８】
ＨＴＥ電解又は高温共電解による水素又は合成ガスの生成は、定義により、十分な量の利用可能な電力を必要とする。
【００１９】
しかしながら、「脱炭素化」エネルギー源が本質的に断続的である場合（風力発電、太陽光発電）、そのような供給源では、１つ及び同じパワーツーガスユニットの全てのＨＴＥ電解反応器又は高温共電解反応器に同時に、又は少なくとも実施が効果的であるために十分な量で電力を供給することがもはや不可能である状況が起こり得る。
【００２０】
さらに、高温電解又は共電解を可能にするそのようなＨＴＥ／ＳＯＥＣ反応器が一旦起動されると、その温度を維持することを確実にする必要があるが、これは、発電が断続的であり得るにもかかわらず、一方ではそれを損傷する可能性がある熱サイクルを防ぐため、他方では電力が再度利用可能になった後に迅速にそれを起動する可能性を提供するためである。換言すれば、反応器の構成要素のレベルで温度変動を制限することにより、低コストの電力が再度利用可能になった場合に、劣化リスクを低減し、パワーツーガスユニットの迅速な起動を容易にすることが可能になる。
【００２１】
従って、不可避の熱損失にもかかわらず、高温電解を可能にするＳＯＥＣ反応器又は共電解反応器がそれらの不活性期間中に高温に維持されることを確実にすることは有利である。
【００２２】
利用可能な電力がない場合にＳＯＥＣ又は共電解反応器の温度を熱損失にもかかわらず維持するというこの問題を解決するための幾つかの解決策が、既に想定されている。
【００２３】
第１の解決策は、電気加熱からなる。この解決策は、ユニットの待機期間中に典型的には高い電力コストによって生じるエネルギー及び財務コストにより、実行可能ではない。
【００２４】
別の解決策は、化石燃料の燃焼による熱供給を想定している。この場合もやはり、燃料のエネルギー及び財務コストにより、この解決策は実行可能ではない。
【００２５】
別の解決策は、各ＳＯＥＣ反応器の動作を逆にして高温電解又は共電解を可能にすること、すなわち、ＳＯＦＣ燃料電池（「固体酸化物形燃料電池（Ｓｏｌｉｄ  Ｏｘｉｄｅ  Ｆｕｅｌ  Ｃｅｌｌ）」の頭字語）として動作させて合成ガス（水素Ｈ２及び一酸化炭素ＣＯの混合物）からの水素Ｈ２から又はメタンから電流を生成することで、反応器温度を維持することを可能にすることである。これは、外部電源から利用可能な電力がなくなった場合に必ずしも利用可能ではない電流を生成する、という大きな欠点を有する。さらに、別の大きな欠点は、専ら反応器温度を維持し、他の可燃性生成物ではなくその正確な瞬間に必ずしも利用可能ではない電力のみを得る目的のために、燃料、すなわちＨ２、合成ガス又はメタンがこのようにして消費、すなわち燃焼されることである。
【００２６】
最終的な解決策は、特許文献２において出願人によって構想されているものである。この解決策は、それがある温度に維持されることを確実にするために、発熱メタン化反応を触媒するＳＯＥＣ反応器の能力に基づいている。この運転方式では、ＳＯＥＣ反応器は、第１ステップで、貯蔵される水素Ｈ２又は合成ガスを生成する従来の電解槽／共電解槽として公称モードで作動する。待機モードに対応する第２ステップでは、この同じ反応器に、それ自体の先行生成物を供給し、第１ステップで電解により水素Ｈ２のみが生成された場合にはＣＯ２を添加し、これにより、熱の生成により燃料を消費することなく反応器温度を維持し、反対に進行中にはメタンを生成することが可能になる内部メタン化反応が生じる。それでもなお必要とされる場合には、メタン化を次いで、専用のメタン化反応器中で完了させることができる。この解決策は全体的に満足のいくものであるが、以下のように幾つかの欠点がある：
−同じ反応器をある温度に維持する待機モードで再使用する前の、電解／共電解での公称運転モード中に水素又は合成ガスの生成物を貯蔵するための固有の要件；
−電解／共電解段階とメタン化段階との間に温度又は圧力の変動がない場合のメタン化反応平衡のシフトであって、後続のＣＯ２試薬の添加を伴う電解のみが実際に温度を維持するための発熱メタン化を可能にする、シフト；
−メタン化熱の利用は、電解／共電解運転モードでは考慮されないため、待機モード運転は、電解／共電解の上流段階を熱的に不利にし、全体的なエネルギー消費量に影響を与え、生産性の低下を招く可能性がある熱補償の存在を必要とすること。
【００２７】
従って、全ての反応器に対して利用可能な電力がない状態でそれらをある温度に維持するために、特に各反応器を逆にしてＳＯＦＣ燃料電池にする必要性なしに及び／又は合成から生じ得るＨ２又はガス燃料を燃焼させる必要性なしに及び／又は水素又は合成ガスの事前生成物を貯蔵する必要性なしに、幾つかのＨＴＥ／ＳＯＥＣ電解反応器又は共電解反応器を含むパワーツーガスユニットを待機モードで運転させる方法を改善する必要がある。
【先行技術文献】
【特許文献】
【００２８】
【特許文献１】米国特許出願公開第２００９／０２８９２２７号明細書
【特許文献２】欧州特許第３，０７７，５７４号明細書
【非特許文献】
【００２９】
【非特許文献１】「余剰電力を利用する方法としての水素及びメタン化に関する研究（Ｓｔｕｄｙ  ｒｅｌａｔｉｎｇ  ｔｏ  ｈｙｄｒｏｇｅｎ  ａｎｄ  ｍｅｔｈａｎａｔｉｏｎ  ａｓ  ａ  ｐｒｏｃｅｓｓ  ｆｏｒ  ｅｘｐｌｏｉｔｉｎｇ  ｅｘｃｅｓｓ  ｅｌｅｃｔｒｉｃｉｔｙ）」−ＡＤＥＭＥ，ＧＲＴｇａｚ，ＧｒＤＦ；２０１４年９月
【非特許文献２】「最適化されたエネルギーシステム内でのパワーツーガスの感受性（Ｓｅｎｓｉｔｉｖｉｔｉｅｓ  ｏｆ  Ｐｏｗｅｒ−ｔｏ−Ｇａｓ  ｗｉｔｈｉｎ  ａｎ  ｏｐｔｉｍｉｚｅｄ  Ｅｎｅｒｇｙ  Ｓｙｓｔｅｍ）」；Ｅ．Ｋｏｔｔｅｒ；ＩＲＥＳ−２０１５
【非特許文献３】「温室効果ガス中立社会のためのエネルギー貯蔵：需要及び長期戦略（Ｅｎｅｒｇｙ  Ｓｔｏｒａｇｅ  ｆｏｒ  ａ  Ｇｒｅｅｎｈｏｕｓｅ  Ｇａｓ  Ｎｅｕｔｒａｌ  Ｓｏｃｉｅｔｙ：  Ｄｅｍａｎｄ  ａｎｄ  Ｌｏｎｇ−ｔｅｒｍ  Ｓｔｒａｔｅｇｙ）」；Ｍ．Ｎｏｗａｋｏｗｓｋｉ；ＩＲＥＳ−２０１５
【発明の概要】
【発明が解決しようとする課題】
【００３０】
本発明の目的は、少なくとも部分的にこの必要性を満たすことである。
【課題を解決するための手段】
【００３１】
これを行うために、その態様の１つにおいて、本発明は、固体酸化物（ＳＯＥＣ）型の基本電解セルのスタックを有するＮ個の反応器（１）を含むパワーツーガスユニットと呼ばれるユニットの、始動モード又は待機モードでの運転方法に関し、そのカソードは、メタン化反応触媒材料から作られ、
本方法は、Ｎ個の反応器又はその一部の温度上昇を実施することが望ましい場合、又は利用可能な電力レベルがＮ個の反応器全ての中でＨＴＥ電解又はＨ２Ｏ及びＣＯ２の共電解を実施するのに不十分である場合、以下のステップ：
ａ）Ｐ個の反応器に電力が供給され、必要ならば熱が供給され、また、水蒸気Ｈ２Ｏ、又は水蒸気と二酸化炭素ＣＯ２との混合物の何れかがＰ個の反応器のカソードに供給及び分配されて、Ｐ個の反応器の各カソードにおいて、水蒸気Ｈ２Ｏの高温電解、又は水蒸気及び二酸化炭素の高温共電解が行われる；
ｂ）電解から得られるガス（水素Ｈ２、水蒸気Ｈ２Ｏ）又は共電解から得られるガス（Ｈ２、水蒸気、一酸化炭素ＣＯ、二酸化炭素ＣＯ２、メタンＣＨ４）の少なくとも一部が回収され、電力が供給されていないＸ個の反応器の各カソードに供給及び分配され、数ＸはＮ−Ｐ以下であり、Ｘ個の反応器の各カソードで不均一触媒作用によるメタン化が行われる；
を含む。
【００３２】
従って、本発明は、パワーツーガスユニットの全てのＳＯＥＣ反応器の熱管理からなり、これは、全ての反応器を公称モード、すなわち典型的には８００℃である電解／共電解モードで運転可能とするのに電力の供給レベルが不十分である場合に、それらのうちの幾つかのみ、すなわちＰ個の反応器がこのモードで運転され、反応器の他の部分、すなわち電力が供給されていないＸ個の反応器は、熱損失にもかかわらず、Ｐ個の反応器内での電解／共電解反応から生じるガス生成物の注入を用いたそれらの中での内部メタン化反応により、同時に典型的には６００℃を超える高温範囲に留まりながらその付近又はそれより低い温度に、又は構成要素の熱サイクルの制約に適合する温度に上昇又は維持される。
【００３３】
有利な一実施形態によれば、二酸化炭素は生産源によって放出される。
【００３４】
有利には、始動モード又は待機モードにおいて、ユニットの必要熱量は、好ましくは二酸化炭素を放出するのと同じ生産源である生産源からの廃熱によって提供される。
【００３５】
「二酸化炭素ＣＯ２及び／又は廃熱を放出する生産源」との表現は、本明細書及び本発明の文脈において、任意の生産拠点、例えばエネルギー生産拠点（廃熱用の原子力発電所、ＣＯ２排出及び／又は廃熱用のバイオマスメタン化又はガス化発電所）、工業生産拠点（セメント工場、ＣＯ２排出及び／又は廃熱用の鉄鋼業）、熱の高い消費者であるためより多くの熱を放出する病院などのサービス産業の建物、閉鎖区域の輸送ネットワーク、あるいは廃熱処理ユニットなどの排出拠点などを意味することを意図する。
【００３６】
従って、パワーツーガスユニットの全てのＳＯＥＣ反応器を待機モードで典型的には６００〜８００℃の間の高温に維持することは、固有の熱損失にもかかわらず、典型的には２００〜３００℃の間の中温の外部熱、好ましくは残留／余剰熱、より好ましくはＣＯ２排出源に関連する熱を利用することによって可能になる。
【００３７】
電力が供給されていないＸ個のＳＯＥＣ反応器をそれらが一旦通過した場合、生成されたガスを、合成メタンの生成を完了させるために、パワーツーガスユニットの専用メタン化反応器に導入してもよい。
【００３８】
従って、有利な一実施形態によれば、本方法は、ステップｃ）を含み、それに従って、ステップｂ）の間にＳＯＥＣ反応器中でメタン化によって生成されたガスは、パワーツーガスユニットのメタン化専用反応器に導入される。
【００３９】
好ましくは、ステップａ）は、６００〜１０００℃の間の温度で行われる。
【００４０】
再び好ましくは、ステップｂ）は、４００℃〜８００℃の間の温度又は構成要素の熱サイクルの制約に適合する温度で、かつステップａ）の温度に対して少なくとも１００℃劣る温度で行われる。
【００４１】
有利には、ステップａ）及びｂ）は、０〜１００ｂａｒの間、好ましくは４〜８０ｂａｒの間の圧力で行われる。
【００４２】
Ｎ個の反応器は好ましくは、それぞれがカソードと、アノードと、カソードとアノードとの間に挿入された電解質とから形成されたＳＯＥＣ型の基本電解セルのスタックと、それぞれが２つの隣接する基本セルの間に配置され、一面が２つの基本セルのうちの一方のアノードと電気的に接触し他面が２つの基本セルのうちの他方のカソードと電気的に接触している複数の電気的及び流体的相互接続体（ｉｎｔｅｒｃｏｎｎｅｃｔｏｒ）とを有する全ての反応器である。
【００４３】
本明細書では、相互接続体あるいは相互接続プレートとも呼ばれる電気的及び流体的相互接続装置は、ＨＴＥ反応器のスタック内の各電解セルの電気的観点から直列に、及び流体的観点から並列に接続を提供することで各セルの製造を組み合わせる装置であることが明記される。相互接続体はこのようにして、電流を供給及び収集する機能を果たし、ガス循環（分配及び／又は収集）区画を画定する。
【００４４】
電解セルは、有利にはカソード支持型である。用語「カソード支持セル」は、本明細書及び本発明の文脈において、水の高温電解ＨＴＥの分野において既に与えられ、「カソード支持セル（Ｃａｔｈｏｄｅ−ｓｕｐｐｏｒｔｅｄ  Ｃｅｌｌ）」の頭字語ＣＳＣで示される定義、すなわち、電解質及び酸素電極（「アノード」）が、次いで支持体として作用するより厚い水素又は一酸化炭素電極（カソード）上に配置されているセルを意味することを意図する。
【００４５】
カソードは好ましくは、好ましくは酸化イットリウム（Ｙ２Ｏ３）で安定化された、ジルコニウム（ＺｒＯ２）によって支持されたニッケル（Ｎｉ）に基づくものであるか、又はガドリニウムドープセリア（Ｎｉ−ＣＧＯ）などのセリアによって支持されたＮｉに基づくものである。
【００４６】
ステップａ）について、水蒸気及び二酸化炭素の共電解は、欧州特許第２９３１９４３号明細書の教示に従って、スタック反応器中で有利に実施することができる：水蒸気Ｈ２Ｏ、又は水蒸気と二酸化炭素ＣＯ２との混合物の何れかがＰ個の反応器の各カソードに供給及び分配されるか、又はＰ個の反応器の２つの隣接する基本セルのうちの一方の各カソードに水蒸気が供給及び分配され、Ｐ個の反応器の２つの基本セルのうちの他方のカソードに二酸化炭素が供給及び分配されて、Ｐ個の反応器の各カソードにおいて、水蒸気Ｈ２Ｏの高温電解、又は水蒸気及び二酸化炭素の高温共電解の何れかが行われる。
【００４７】
本発明の主題はまた、上述のパワーツーガスユニットの待機モードでの運転方法を実行する、「断続的な」エネルギー源からメタンＣＨ４を生成する方法であり、ステップｂ）は、前記断続的な源がＮ個の反応器全てに十分なレベルの電力を生産することがもはやできない場合に行われる。
【００４８】
今説明した本発明は多くの利点を有し、そのうち以下の点に言及することができる：
−余剰電力断続（ｓｕｒｐｌｕｓ−ｅｌｅｃｔｒｉｃｉｔｙ  ｉｎｔｅｒｍｉｔｔｅｎｃｅ）との観点から非常に部分的であり得る負荷での運転にもかかわらず、ユニット全体を高温、典型的には６００〜８００℃の間に維持すること；
−高温を維持するために燃料消費がなく、それを行うためにＳＯＦＣ燃料電池に切り替える必要がないこと；
−工業的なＣＯ２生産源に有利に連結された中温の残留／余剰熱源が利用可能である場合に、部分負荷での運転中にユニットの電力収率を維持すること；
−待機モードでＸ個のＳＯＥＣ反応器をフラッシュすることによって還元雰囲気（Ｈ２／ＣＯ／Ｈ２Ｏ／ＣＯ２）を維持し、それによって酸化の危険性及び別の還元ガス、例えば水素での不活性化又はフラッシュの必要性を制限すること；
−本発明による待機モードを使用して、最初は冷たいユニットのＳＯＥＣ反応器の温度を上昇させることができること。従って、例えば外部熱源との関連で中温、典型的には約３００℃で予熱した後の、電力が供給された電解槽／共電解槽からの試薬の導入は、メタン化によって他のＸ個の反応器の温度を徐々に増加させることを可能にし、それによって、特定の始動装置に関して節約を生じさせ、そして迅速な電気化学的始動を可能にする；
−Ｘ個の不活性ＳＯＥＣ反応器、すなわち電力が供給されていない反応器のそれぞれに注入される試薬の流量を制御することによって、典型的には約６００〜７００℃である待機温度の実施を容易にすること。
【００４９】
本発明の他の利点及び特徴は、添付の図面を参照しながら例示としてかつ非限定的に与えられた本発明の実施例の詳細な説明を読むことで、より明確になるであろう。
【図面の簡単な説明】
【００５０】
【図１】高温水電解槽の動作原理を示す概略図である。
【図２】相互接続体を含む高温水蒸気電解槽の一部の分解概略図である。
【図３】パワーツーガスユニットの本発明による待機モードでの運転の概略図である。
【図４】ユニットの活性共電解反応器の出口でのＨ２、ＣＯ、ＣＯ２及びＨ２Ｏの典型的な混合物に対する、ユニットの非活性反応器内の温度の低下に伴うメタンへの転化率の変化を曲線の形で示す図である。
【図５】公称運転モードでのパワーツーガスユニットの一例の主要な複合曲線、すなわち、各温度範囲で交換される熱量及び電力会社から供給されるエネルギーの変動、又は外部から供給される熱エネルギーの利用を示す図である。
【図６】図５によるユニットの同じ例のものであるが、本発明による待機モードである、主要複合曲線を示す図である。
【発明を実施するための形態】
【００５１】
本出願を通して、用語「入口」、「出口」、「下流」及び「上流」は、ＳＯＥＣ反応器へのガスの入口からそこからのガスの出口への、ガスの循環の方向に関連して理解されるべきである。
【００５２】
図１及び図２では、水蒸気Ｈ２Ｏの供給、二水素Ｈ２、酸素Ｏ２及び電流、及び二酸化炭素ＣＯ２の分配及び回収、並びに一酸化炭素ＣＯ及び酸素Ｏ２及び電流、及びメタンＣＨ４の分配及び回収のための記号及び矢印が、本発明によるＳＯＥＣ反応器１の動作を説明するために、明確さ及び正確さの目的で示されていることが明記される。
【００５３】
記載されている方法によるプロセスのステップａ）及びｂ）に従って運転される全ての反応器は、高温で運転される固体酸化物（ＳＯＥＣ、「固体酸化物電解槽セル（Ｓｏｌｉｄ  Ｏｘｉｄｅ  Ｅｌｅｃｔｒｏｌｙｚｅｒ  Ｃｅｌｌ）」の頭字語）型のものであることも明記される。従って、電解セルの全ての構成要素（アノード／電解質／カソード）はセラミックである。
【００５４】
そのような構成要素は、ＳＯＦＣ燃料電池のものであってもよい。電解又は共電解中の反応器１の公称モードでの高い運転温度は、典型的には６００℃〜１０００℃の間である。
【００５５】
典型的には、カソード支持セル（ＣＳＣ）型の、本発明に適した基本ＳＯＥＣ電解セルの特性は、次のように以下の表１に示されるものであり得る。
【００５６】
【表１】
2019112717.tif 000003
【００５７】
水電解槽は、電流の影響下で水素（及び酸素）を生成するための電気化学的装置である。
【００５８】
ＨＴＥ高温電解槽では、水蒸気を用いて高温での水の電解が行われる。ＨＴＥ高温電解槽の機能は、以下の反応に従って水蒸気を水素と酸素に変換することである：
２Ｈ２Ｏ→２Ｈ２＋Ｏ２。
【００５９】
この反応は、電解槽のセル内で電気化学的に行われる。図１に図式的に示すように、各基本電解セル１は、固体電解質３の両側に配置されたカソード２及びアノード４から形成される。２つの電極（カソード及びアノード）２、４は、多孔質材料から作られた電子伝導体であり、電解質３は気密性、電子絶縁体及びイオン伝導体である。電解質は特にアニオン伝導体、より具体的にはＯ２−イオンのアニオン伝導体であってもよく、そして電解槽は、アニオン電解槽と呼ばれる。
【００６０】
電気化学反応は、各電子伝導体とイオン伝導体との間の界面で起こる。
【００６１】
カソード２において、半反応は以下の通りである：
２Ｈ２Ｏ＋４ｅ−→２Ｈ２＋２Ｏ２−。
【００６２】
アノード４において、半反応は以下の通りである：
２Ｏ２−→Ｏ２＋４ｅ−。
【００６３】
２つの電極２、４の間に挿入された電解質３は、アノード４とカソード２との間に印加された電位差によって作り出される電界の影響下でのＯ２−イオンの移動の場所である。
【００６４】
図１の括弧内に示すように、カソード入口の水蒸気は水素Ｈ２を伴うことができ、出口で生成及び回収される水素は水蒸気を伴ってもよい。同様に、破線で示すように、生成された酸素を除去するために、空気などの排出ガスを入口に注入することもできる。排出ガスの注入は、熱調節器として作用するという追加の機能を有する。
【００６５】
基本電解反応器は、カソード２と、電解質３と、アノード４とを有する上記のような基本セルと、電気的、油圧的（ｈｙｄｒａｕｌｉｃ）及び熱的機能を保証する２つのモノポーラ接続体とからなる。
【００６６】
生成される水素及び酸素の流速を増加させるために、幾つかの基本電解セルを互いの上に積み重ね、通常は相互接続体又はバイポーラ相互接続プレートとして知られている相互接続装置でそれらを分離することが既知の慣例である。アセンブリは、電解槽（電解反応器）の電力供給及びガス供給を支持する２つの端部相互接続プレートの間に配置されている。
【００６７】
従って、高温水電解槽（ＨＴＥ）は、互いの上に積み重ねられた少なくとも１つの、一般的には複数の電解セルを含み、各基本セルは、電解質、カソード及びアノードから形成され、電解質はアノードとカソードとの間に挿入されている。
【００６８】
１つ又は複数の電極と電気的に接触している流体的及び電気的相互接続装置は、一般に、電流を運搬及び収集する機能を果たし、１つ又は複数のガス循環区画を画定する。
【００６９】
従って、「カソード」区画は、電流及び水蒸気を分配し、また接触しているカソードで水素を回収する機能を有する。
【００７０】
「アノード」区画は、電流を分配し、また接触しているアノードで生成された酸素を、場合により排出ガスを使用して回収する機能を有する。
【００７１】
図２は、従来技術による高温水蒸気電解槽の基本ユニットの分解図である。このＨＴＥ電解槽は、相互接続体５と交互に積み重ねられた固体酸化物（ＳＯＥＣ）型の複数の基本電解セルＣ１、Ｃ２を含む。各セルＣ１、Ｃ２・・・は、カソード２．１、２．２・・・と、アノード４．１、４．２・・・と、それらの間に配置された電解質３．１、３．２・・・とからなる。
【００７２】
相互接続体５は、それぞれ相互接続体５と隣接するアノード４．２との間、及び相互接続体５と隣接するカソード２．１との間の容積によって画定される、カソード区画５０とアノード区画５１との間の分離を確実にする金属合金製の構成要素である。それはまた、セルへのガスの分配を確実にする。各基本ユニットへの水蒸気の注入は、カソード区画５０内で行われる。カソード２．１、２．２・・・における生成された水素及び残留水蒸気の収集は、後者による水蒸気の解離の後、セルＣ１、Ｃ２・・・の下流のカソード区画５０内で行われる。アノード４．２で生成された酸素の収集は、後者による水蒸気の解離の後、セルＣ１、Ｃ２・・・の下流のアノード区画５１内で行われる。
【００７３】
相互接続体５は、隣接する電極との直接接触によるセルＣ１とＣ２との間、すなわちアノード４．２とカソード２．１との間の電流の通過を確実にする。
【００７４】
ＨＴＥ高温共電解槽では、水蒸気及び二酸化炭素ＣＯ２を用いて高温共電解が行われる。ＳＯＥＣ高温共電解槽の機能は、以下の反応に従って水蒸気及びＣＯ２を水素、一酸化炭素及び酸素に変換することである：
ＣＯ２＋Ｈ２Ｏ→ＣＯ＋Ｈ２＋Ｏ２。
【００７５】
共電解槽１は、今説明したＨＴＥ電解槽と全く同じ固体酸化物成分（ＳＯＥＣ）を含んでもよい。通常、水蒸気及び二酸化炭素ＣＯ２は、共電解槽に入る前に用途に応じて選択された比率で混合され、同時に各カソード区画５０に注入される。
【００７６】
図３に示すのは、複数の専用メタン化反応器６の上流に多数のＸ個及びＰ個の共電解反応器を使用するパワーツーガスユニットＵである。
【００７７】
この図３は、本発明による待機モードでこのユニットＵを運転させる方法の一例を示す：この場合、Ｐ個の反応器１に電力が供給されて共電解モードで運転され、結果として生じる、電力が供給されていないＸ個の反応器には、Ｐ個の反応器の共電解から得られるガス生成物の一部が供給される。
【００７８】
与えられた例は、工業用供給源、典型的にはＣＯ２及び約２００℃の中温の熱を放出する鉄鋼業に結合された、公称運転において２０ＭＷｅの共電解電力を有するパワーツーガスユニットに対応する。
【００７９】
この２０ＭＷｅの共電解力のために、そして選択されたＳＯＥＣ反応器の運転条件下、すなわち１．３３Ｖの電圧、１．１Ａ／ｃｍ２の電流密度及び１０ｂａｒの圧力下での熱中性運転（ｈｅａｔ−ｎｅｕｔｒａｌ  ｏｐｅｒａｔｉｏｎ）で、パワーツーガスユニットＵは、１８５５に等しい数Ｎ個のＳＯＥＣ反応器１を含み、それは、それぞれが１９６ｃｍ２である５０個のセルＣ１、Ｃ２・・・のスタックに対応する。
【００８０】
この１８５５の数Ｎ個の反応器は、それぞれ３５個の反応器の５３個のチャンバーにともにまとめられている。
【００８１】
パワーツーガスユニットの公称運転、すなわち１００％負荷での運転は、以下のステップを含む：
−高温（８００℃）における、工業用供給源の出口の上流の捕捉物からの水蒸気及び二酸化炭素ＣＯ２が供給された、Ｈ２、ＣＯ、Ｈ２Ｏ及びＣＯ２の混合物を生成する、並列に運転される１８５５個のＳＯＥＣ反応器全てによる２０ＭＷｅの共電解のステップ；
−共電解反応器の出口での水蒸気の部分的凝縮のステップ；
−幾つかの（並列の）第１専用触媒メタン化反応器６のうちの１つの通過；
−水蒸気の中程度の凝縮のステップの後の、Ｈ２、ＣＯ及びＣＯ２をメタン化してそれらからメタンＣＨ４を生成する反応を完了させる、幾つかの（並列の）第２専用触媒メタン化反応器６のうちの１つの通過；
−天然ガスネットワーク用の注入仕様を有する合成メタンを得るための、水をより徹底的に凝縮するステップ。
【００８２】
加えて、公称運転において、パワーツーガスユニットＵは熱的統合を有し、それに従って、メタン化反応器６からの熱は、共電解反応器１の入口で水を蒸発させるために特に十分に使用される。
【００８３】
ユニットＵへの電力の供給は、再生可能エネルギーからの余剰の電力生産によって確保される。この余剰は、１０年間の予測で１８００ｈ／年と推定されている。
【００８４】
ユニットの公称運転の仮説を余剰時間中にのみ取り扱うことで、電力ネットワークからの購入によって電力需要が供給されている年間にわたる長期間の待機をこうして想定すべきである。
【００８５】
図３に示すように、本発明による待機モードでの運転は、以下のステップを実行することからなる：
ａ）ユニットＵのＰ個の反応器に電力が供給され、また、水蒸気Ｈ２Ｏ、又は水蒸気と二酸化炭素ＣＯ２との混合物の何れかがＰ個の反応器のカソードに供給及び分配されて、Ｐ個の反応器の各カソードにおいて、水蒸気Ｈ２Ｏの高温電解、又は水蒸気及び二酸化炭素の高温共電解の何れかが行われる；
ｂ）電解から得られるガス（水素Ｈ２、水蒸気Ｈ２Ｏ）又は共電解から得られるガス（Ｈ２、水蒸気、一酸化炭素ＣＯ、二酸化炭素ＣＯ２、メタンＣＨ４）の少なくとも一部が回収され、電力が供給されていないユニットＵのＸ個の反応器の各カソードに供給及び分配され、数ＸはＮ−Ｐ以下であり、Ｘ個の反応器の各カソードで不均一触媒作用によるメタン化が行われる。
【００８６】
本発明によるステップを適用することによって、待機モードでの熱管理戦略が以下のように行われる：
−待機における３５個の反応器を含むチャンバー毎の４．６４ｋＷｔｈでの熱損失の評価；
−Ｐ個の反応器からの生成物を他のＸ個のＳＯＥＣ反応器内に注入し、温度の低下によって熱力学的に促進される以下の発熱反応による内部メタン化を可能にする：
ＣＯ２＋４Ｈ２→ＣＨ４＋２Ｈ２Ｏ。
ＣＯ＋３Ｈ２→ＣＨ４＋Ｈ２Ｏ。
５ｂａｒの圧力下でのメタン生成の変化の例を図４に示す；
−Ｐ個の活性反応器（８００℃）とＸ個の不活性反応器（６００℃）との間のメタン化反応平衡におけるシフトの熱力学的計算は、１０ｂａｒの圧力下で８００℃において活性共電解反応器が電力を供給することなく７つのＳＯＥＣ反応器の温度を６００℃に維持することを可能にすること、すなわち、わずか１２．５％の負荷でのユニットＵの運転を可能にすることを示している。
【００８７】
従って、本発明による待機モードでのこの運転戦略は明らかに、公称運転のわずか１２．５％の電力の消費である、すなわち、Ｘ＝Ｎ−ＰでＰ＝数Ｎの１２．５％であることと引き換えに、Ｎ個のＳＯＥＣ反応器全てを高温に維持することを可能にする。
【００８８】
図３に示すように、一旦Ｘ個の不活性ＳＯＥＣ反応器を高温に保つために使用されると、公称運転に関して、試薬は専用メタン化反応器６でそれらのメタン化を完了させる。
【００８９】
従って、本発明によるパワーツーガスユニットＵは、少ない負荷で、電力を利用してメタンを合成することを実施し続ける。
【００９０】
本発明者らは、「ＰｒｏＳｉｍＰｌｕｓ」市販モデリングソフトウェアを用いて、２つの運転モード、すなわち公称運転及び本発明による待機モードでの運転において全体的な熱バランスを行うために、ユニットＵの熱統合を行った。
【００９１】
このバランスを、図５（公称運転モード）及び図６（本発明による待機モード）にそれぞれ示す。それらの通常の定義によれば、低温ユーティリティは、典型的には低温でユニットから余剰熱を放出するために使用される冷却流体であり、一方で、高温ユーティリティは、典型的には中温又は高温でユニットの熱要件を満たすために使用される加熱添加物であることが明記される。
【００９２】
図５及び６に示す曲線から、熱バランスは、以下を示す：
−仮説により、例えば空冷式熱交換器又はヒートポンプから電力の消費を通じて供給される、ユニットに対する低温ユーティリティの必要性；
−・正常である公称運転での運転のための；
・同様に、高温に維持されるにもかかわらず電力が供給されていないＸ個のＳＯＥＣ反応器において熱損失が存在する、展開された熱戦略による待機モードでの運転のための、〜２００℃付近の温度に制限される高温ユーティリティの必要性。
【００９３】
ユニットが、中温でＣＯ２及び残留／余剰熱の両方を放出する工業用供給源と結合される場合、中温でのこの高温ユーティリティの要件は、ユニットの電気バランスに適合されている必要はない。
【００９４】
ＰｒｏＳｉｍＰｌｕｓソフトウェアによる熱計算の結果、及びパワーツーガスユニットの電力収率の結果を、公称運転モード及び公称の１２．５％の負荷を有する本発明による待機運転モードに対して、以下の表２に示す。
【００９５】
【表２】
2019112717.tif 000004
【００９６】
この表２から、電力が供給されていないＸ個の反応器を高温に維持するための熱要件にもかかわらず、ユニットＵの電力収率が部分負荷で維持されることが明らかになっている。
【００９７】
本発明は、今説明した実施例に限定されない；図示されていない変形例に示される実施例の特徴は、特に互いに組み合わせることができる。
【符号の説明】
【００９８】
１          基本電解セル
２          カソード
３          電解質
４          アノード
５          相互接続体
６          専用メタン化反応器
５０        カソード区画
５１        アノード区画
【図１】
2019112717.tif 000005
【図２】
2019112717.tif 000006
【図３】
2019112717.tif 000007
【図４】
2019112717.tif 000008
【図５】
2019112717.tif 000009
【図６】
2019112717.tif 000010
【外国語明細書】
2019112717000001.pdf